(57)【要約】【課題】  遊技機の樹脂構成部材の材料として使用しにくかった樹脂を従来からの樹脂成形材料と同じように使用することと、優れたデザインの遊技機を提供することにある。【解決手段】  樹脂成形材料から成形された樹脂構成部材を有し、同樹脂構成部材によって又は同樹脂構成部材と非樹脂成形材料から構成される非樹脂構成部材によって組み立てられたパチンコ機において、前記樹脂構成部材、例えば上受け皿３６を表層部を形成するスキン層４１と、同スキン層４１に挟持されたコア層４２とによる三層構造とし、同スキン層４１をカーボン粉末を配合してなる導電性の層として構成し、コア層４２は通常の非導電性のＡＢＳ樹脂１００パーセントの未使用樹脂成形材料未使用のＡＢＳ樹脂を原料として構成した。【選択図】      図３
2010194374.tif 000002
【特許請求の範囲】
【請求項１】
樹脂成形材料から成形された樹脂構成部材を有し、同樹脂構成部材によって又は同樹脂構成部材と非樹脂成形材料から構成される非樹脂構成部材によって組み立てられた遊技機において、
前記樹脂構成部材を表層部を形成するスキン層と、同スキン層に挟持されたコア層とによる三層構造とし、同コア層とスキン層とは互いに異なる特性を備えた樹脂成形材料によって構成したことを特徴とする遊技機。
【発明の詳細な説明】
【技術分野】
【０００１】
本発明は遊技機に関し、特に樹脂成形材料から成形された樹脂構成部材を有する遊技機に関するものである。
【背景技術】
【０００２】
遊技機の一種である例えばパチンコ機においては一般に遊技盤、前枠、扉枠等々、木製の外枠以外の樹脂構成部材の多くが熱可塑性の合成樹脂で成型される。樹脂構成部材は射出成形等の既知の手段で成形され、パチンコメーカーはこれら樹脂構成部材に他の部材、例えば釘、レール、入賞口等や遊技機構、遊技球発射機構等を取り付けた上でパチンコ機として組み立てる。
このようなパチンコ機の樹脂構成部材として応用できる可能性のある合成樹脂素材として種々の新素材、例えば導電性樹脂や抗菌性樹脂が挙げられる。
パチンコ機ではパチンコ球の通過に伴って接触面との間で静電気が生じ、この静電気が原因で遊技機構が誤作動する可能性がある。そのため導電性樹脂を積極的に使用して静電気をアースしてやることは望ましい。また、抗菌性樹脂はそれを使用することで清潔に保つことができるため、特に女性客の集客性に貢献するといえるものである。
また、パチンコホールで旧式台として不要になった場合にこれら樹脂構成部材だけを取り外し、再生樹脂材料（例えば粉砕して再生樹脂粉粒物にしたり再生ペレットなどを製造する）として、これを新しい樹脂材料（例えばバージンペレット）に所定量配合することも可能である。むしろ、再利用することが産業廃棄物を減らすこととなり資源の有効活用ともなるため好ましい。
【発明の概要】
【発明が解決しようとする課題】
【０００３】
しかし、導電性樹脂は通常樹脂構成部材としてよく使用されるＡＢＳ樹脂等に比べ高価であり、強度は逆に一般に劣る傾向にある。また、抗菌性樹脂も同様通常の樹脂に比べ高価であるとともに、そもそも抗菌性能は樹脂構成部材の表面でのみ発揮されるものであって、部材すべてを抗菌性樹脂で成型しなければならない必然性に欠ける。
また、使用済み樹脂構成部材に基づく再生樹脂成形材料はバージンペレットのような未使用の樹脂成形材料に対して既に一度以上加熱され使用されているため樹脂の分子量が熱劣化して低下していたり、汚れが十分落とされないまま使用されることにより一般に強度が劣るものである。そのため、パチンコ機の特に強度が必要な例えば大量のパチンコ球が通過したり溜まったりする部分や種々の機構を支持するパチンコ機本体など十分な強度が要求される部材にこれら再生樹脂成形材料を安易に使用することはできなかった。
また、再生樹脂成形材料種々の添加物や顔料が既に配合されているため、バージンペレットにこれらを添加した新たな成型品に比べ色つや等の点でも劣る。従って、特に外観のデザインが集客力に大きな影響のあるパチンコ機でこのような使用した場合の外観がバージンペレットのものと比べて劣るような材料を安易に使用することはできなかった。
また、パチンコ機は集客性の向上のため特に外観のデザインが重視されるものの、従来では特に遊技者と正対する扉枠等には後から装飾パネルを装着したりするのみで、樹脂成形材料自体に格別デザイン性の向上に寄与する工夫はされていなかった。
本発明は、このような従来の技術に存在する種々の問題点に着目してなされたものである。その第１の目的は、遊技機の樹脂構成部材の材料として使用しにくかった樹脂を従来からの樹脂成形材料と同じように使用することであり、第２の目的は優れたデザインの遊技機を提供することにある。
【課題を解決するための手段】
【０００４】
上記の目的を達成するために、請求項１に記載の発明では、樹脂成形材料から成形された樹脂構成部材を有し、同樹脂構成部材によって又は同樹脂構成部材と非樹脂成形材料から構成される非樹脂構成部材によって組み立てられた遊技機において、前記樹脂構成部材を表層部を形成するスキン層と、同スキン層に挟持されたコア層とによる三層構造とし、同コア層とスキン層とは互いに異なる特性を備えた樹脂成形材料によって構成したことをその要旨とする。
【０００５】
ここに、互いに異なる特性を備えるとは、例えばスキン層に導電性樹脂を使用し、コア層に非導電性樹脂を使用すること、コア層に導電性樹脂を使用し、スキン層に非導電性樹脂を使用すること、スキン層に抗菌性樹脂を使用し、コア層に非抗菌性樹脂を使用すること、スキン層に未使用樹脂成形材料を使用し、コア層に再生樹脂成形材料を使用すること、スキン層に光透過性樹脂材料を使用し、コア層を着色樹脂材料を使用すること等が挙げられる。
導電性樹脂としては例えば、ポリアセチレン、ポリピロール、ポリチオフェン、ポリアニリン、ポリフェニルビニレン、ポリパラフェニレン、ポリパラフェニレンスルフィド、グラファイト、ポリエチレンオキシド等をドーピングしたものが挙げられる。また、このように樹脂自体に導電性があるものの外、カーボン末や金属末を樹脂材料に添加処理したものが挙げられる。
抗菌性樹脂としては無機系あるいは有機系の抗菌剤を配合した樹脂成形材料が考えられる。無機系抗菌剤としては例えばゼオライトに担持させた銀、銅、亜鉛等が挙げられる。有機系抗菌剤としては耐熱性のある例えば有機アンモニウム塩系や有機ホスホニウム系が挙げられる。
樹脂成形材料としてはリサイクル可能な熱可塑性樹脂を使用することが好ましい。例えば、ＡＢＳ樹脂、ＡＳ樹脂、ＭＢＳ樹脂、ポリエチレン、ポリスチレン、ポリアミド、ポリカーボネート、ポリエステル、ポリ塩化ビニル、ポリメタクリル酸メチル、ポリプロピレン、ポリアセタール、ポリエチレンテレフタレート、ポリブチレンテレフタレート、ポリフェニレンエーテル、酢酸ビニル等が挙げられる。これらは単体で用いられることもあればポリマーブレンドやポリマーアロイとして組み合わせて用いることもある。
【０００６】
使用済み樹脂構成部材はすでにこの発明の実施の結果としてのスキン層とコア層からる３層構造の使用済み樹脂構成部材を用いても、それ以外の樹脂構成部材を用いても構わない。また、前者の使用済み樹脂構成部材に後者の使用済み樹脂構成部材が一部混入されていても構わない。
また、スキン層に使用される光透過性樹脂材料は透明でも半透明でもよく、すべてが透明又は半透明で構成される必要はない。例えば、一部着色部分を含んでいても、ラメなどが混入していても構わない。コア層はすべて着色樹脂材料であっても一部が透明又は半透明で構成されていても構わない。スキン層が主として透明系とされコア層が透けて見えるのであればよい。
スキン層とコア層との厚みの比率は特に限定はされない。
このような、スキン層とコア層との３層構造は周知の射出成形方法であるコ・インジェクション法（サンドイッチ法）によって達成される。
【発明の効果】
【０００７】
請求項１の発明では、スキン層及びコア層の特性を生かすことができ、単層構造において生じていた不具合が解消されることとなる。
【図面の簡単な説明】
【０００８】
【図１】本発明の実施の形態のパチンコ機の正面図。
【図２】同じパチンコ機において扉枠を開放した状態の斜視図。
【図３】実施の形態１の説明における図２のＡ−Ａ線における断面の平面図。
【図４】実施の形態２の説明における図１のＢ−Ｂ線における断面図。
【図５】実施の形態３の説明における図１のＢ−Ｂ線における断面図。
【図６】実施の形態４の扉枠の斜視図。
【図７】図６のＣ−Ｃ線における断面図。
【図８】サンドイッチ射出成形装置の概略図。
【図９】図４のサンドイッチ射出成形装置により成形された成型品の概念断面図。
【図１０】実施の形態１を変更して実施した樹脂構成部材の断面図。
【発明を実施するための形態】
【０００９】
以下、本発明をパチンコ機に応用した実施の形態について図面に基づいて説明する。まず、パチンコ機の概略について説明する。尚、以下の説明で前面側或いは表面側とは遊技者が正対する側をいい、後面側或いは背面側とはその反対側をいうものとする。
図１及び図２に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。図２に示すように、外枠１にはパチンコ機本体４が装着されている。パチンコ機本体４には遊技盤５が装着されている。図１及び図２に示すように、遊技盤５の前面にはほぼ垂直に配置された遊技面９が形成されている。遊技面９上には内レール１０、外レール１１、入賞口１２及び可変表示装置１３等が所定位置に配置された遊技領域１４が形成されている。尚、釘については図示が省略されている。遊技盤５の周囲は額縁状の扉枠支持フレーム７にて包囲されている。扉枠支持フレーム７はパチンコ機本体４と一体的に形成されている。扉枠支持フレーム７の上部前面には水平方向に光源としての５つのランプ８が配設されている。
遊技盤５の背面側には可変表示装置１３や賞球の排出等を制御する図示しない遊技機構が配設され、同遊技機構の下方には図示しない遊技球発射機構が配設されている。
図１及び図２に示すように、遊技盤５の前面には扉枠１５が開閉可能に配設されている。扉枠１５は閉じた状態で前記扉枠支持フレーム７に当接する。扉枠１５はほぼ正方形の外形を有し、中央にほぼ正方形の大型の窓穴１６が形成されている。扉枠１５上方の上梁１９には水平方向に５つの透孔２４が形成されている。透孔２４は前記扉枠支持フレーム７のランプ８に対応しており、扉枠１５を閉じた時に各ランプ８が対応する透孔２４内に配置される。上梁１９前面には半透明の装飾パネル２５が配設され、同透孔２４を覆っている。ランプ８の光は同透孔２４を通して光透過性の装飾パネル２５を明るく照らし出す。左縦枠２１には鍵穴２７を（図１参照）露出させるための台形の大きな切り欠き２８が形成されている。
図２に示すように、扉枠１５の背面側には同窓穴１６の全周囲に渡って同窓穴１６を包囲する金属製の補強フレーム２９が配設されている。
【００１０】
扉枠１５の下方には上部カバープレート３５が装着されている。上部カバープレート３５はパチンコ機本体４に対して図示しないヒンジ金具によって片持ち支持され同パチンコ機本体４に対して開閉可能とされている。上部カバープレート３５は前方に突出形成され、その上方には上受け皿３６が載置されている。上部カバープレート３５の下方には下部カバープレート３７が配設されている。下部カバープレート３７はパチンコ機本体４に対して固着されている。下部カバープレート３７は前方に突出形成され、その上方には下受け皿３８が載置されている。下受け皿３８は主として上受け皿３６に貯留しきれなかった遊技球を貯留するものである。下部カバープレート３７には灰皿４０が装着されている。下受け皿３８の右側方には操作ハンドル３９が取付けられている。
【００１１】
次に、このように構成されたパチンコ機に本発明を応用した実施の形態について説明する。
（実施の形態１）
上記構成において樹脂構成部材としてのパチンコ機本体４、遊技盤５、上受け皿３６、下受け皿３８をいずれもＡＢＳ樹脂を原料として成形する。これらの樹脂構成部材はいずれもその表面にてパチンコ球と接触するため静電気が発生するため除電処理がなされている。その構造について図３に示す上部カバープレート３５及び上受け皿３６（一部パチンコ機本体４）を例に説明する。
【００１２】
図３に示すように、上部カバープレート３５はパチンコ機本体４前面に配設されている。図３においてはパチンコ機本体４に形成された音響通路４ａと球通路４ｂとが図示されている。上部カバープレート３５は本体３５ａと同本体３５ａ前面を覆うカバー部３５ｂとより構成されている。本体３５ａとカバー部３５ｂとにより構成される上部空間には上受け皿３６が装着されている。
これらパチンコ機本体４、上受け皿３６及び上部カバープレート３５の本体３５ａはその断面構造としてスキン層４１を表面側とし、スキン層４１に包囲された内部側をコア層４２として３層構造が形成されている。
ここに、パチンコ機本体４及び上受け皿３６の導電層としてのスキン層４１はカーボン粉末を配合してなるＡＢＳ樹脂１００パーセントの未使用樹脂成形材料より構成され、コア層４２はＡＢＳ樹脂１００パーセントの未使用樹脂成形材料より構成されている。
一方、上部カバープレート３５の本体３５ａはこれとは逆にスキン層４１はＡＢＳ樹脂１００パーセントの未使用樹脂成形材料より構成され、導電層としてのコア層４２はカーボン粉末を配合してなるＡＢＳ樹脂１００パーセントの未使用樹脂成形材料より構成されている。図３に示すように、上受け皿３６は本体３５ａに対してネジ４３によって固着されている。本体３５ａにはコア層４２に達するアース用ネジ４４が装着され、同アース用ネジ４４及びナット４６にアース線４５が接続されている。アース線４５は前面側に露出しないようにパチンコ機本体４に形成された透孔４ｃから内部側に延出されている。
この結果、上受け皿３６の表面に帯電した静電気はネジ４３を介して本体３５ａ側のコア層４２に流れ、更にアース用ネジ４４、アース線４５を介してアースされるようになっている。
【００１３】
このように構成することにより本実施の形態１は次のような効果を奏する。
（１）パチンコ球が流れて静電気が生じ易い樹脂構成部材について表面のスキン層４１から除電することができるため、パチンコ機に静電気を原因とする不具合が生じにくい。
（２）上部カバープレート３５の本体３５ａはコア層４２が導電層となっており、アースを取りにくい樹脂構成部材とアース線４５との間に介在させることで一種の導線としての役割を果たすこととなる。
（３）上部カバープレート３５の本体３５ａは遊技者の正面に配置される。つまり遊技者に目立つ位置に配置される。ところが、カーボンで黒色系に着色された導電層はコア層４２として外部に露出されず、スキン層４１を顔料で鮮やかな色とすることが可能であるので遊技者に鮮やかな色の本体３５ａを目視させることができ遊技の興趣を妨げることがない。
（４）高価な導電性樹脂材料を全体に使う必要がなく、コストダウンに貢献する。
（５）若干強度が劣るところ、未使用樹脂材料からなる層と重複状に配置されているため、強度を維持することができ、すべて未使用樹脂成形材料で構成した樹脂構成部材と比較しても遜色のないものが得られる。
【００１４】
（実施の形態２）
上記構成において樹脂構成部材としてのパチンコ機本体４、遊技盤５、扉枠１５、上部カバープレート３５、上受け皿３６、下部カバープレート３７、下受け皿３８をいずれもＡＢＳ樹脂を原料として成形する。
その構造について図４に示す扉枠１５の左縦枠２１とを例に説明する。
左縦枠２１はその断面構造としてスキン層４１を表面側とし、スキン層４１に包囲された内部側をコア層４２として３層構造が形成されている。本実施の形態２ではスキン層４１はＡＢＳ樹脂１００パーセントの未使用樹脂成形材料に銀ゼオライトを配合してなる抗菌性樹脂成形材料より構成され、コア層４２はＡＢＳ樹脂１００パーセントの未使用樹脂成形材料より構成されている。
このように構成することにより本実施の形態２は次のような効果を奏する。
（１）特に清潔に保つ必要のある表面がすべて抗菌性樹脂で覆われているため、優れた抗菌性を保持することができる。
（２）コア層４２は特に抗菌の必要がないところ、スキン層４１だけに高価な抗菌性樹脂を使用すれば足りるためコストの低減となる。
（３）高価な抗菌性樹脂成形材料を全体に使う必要がなく、コストダウンに貢献する。
【００１５】
（実施の形態３）
上記構成において樹脂構成部材としてのパチンコ機本体４、遊技盤５、扉枠１５、上部カバープレート３５、上受け皿３６、下部カバープレート３７、下受け皿３８をＡＢＳ樹脂を原料として成形する。ＡＢＳ樹脂は熱可塑性合成樹脂としてリサイクル可能である。また、装飾パネル２５を初め説明を省略したいくつかの透明あるいは半透明の部品についてはポリカーボネートを原料として成形する。ポリカーボネートは熱可塑性合成樹脂としてリサイクル可能である。また、上記灰皿４０や図示しないいくつかの部品についてはフェノール樹脂を原料として成形する。フェノール樹脂は熱硬化性合成樹脂であるため溶かしてリサイクルすることはできない。
上記のうちリサイクル可能な樹脂構成部材の背面にはリサイクル可能であることが分かるようにその旨のステッカーＳを貼着する。また、本実施の形態のステッカーＳではＡＢＳ樹脂を原料とする樹脂構成部材に貼られるものは大きく「ＡＢＳ」と表示し、ポリカーボネートを原料とする樹脂構成部材に貼られるものは大きく「ＰＣ」と表示する。
【００１６】
これら樹脂構成部材については本実施の形態では半透明の装飾パネル２５を除くパチンコ機本体４、遊技盤５、扉枠１５、上部カバープレート３５、上受け皿３６、下部カバープレート３７、下受け皿３８はすべて使用済み樹脂構成部材が原料として用いられている。その構造について図５に示す扉枠１５の左縦枠２１とを例に説明する。
左縦枠２１はその断面構造としてスキン層４１を表面側とし、スキン層４１に包囲された内部側をコア層４２として３層構造が形成されている。スキン層４１はＡＢＳ樹脂１００パーセントの未使用樹脂成形材料より構成され、コア層４２は使用済みの上記熱可塑性の樹脂構成部材を原料とする再生樹脂成形材料より構成されている。スキン層４１に比べコア層４２は種々の顔料による色の異なる再生樹脂成形材料を使用するため濃い色に着色されているものの、スキン層４１とコア層４２との境界線は明瞭ではない。特に、表面側に露出した露出面４１ａは遊技者にほぼ正対している箇所に配置される部分であるが、コア層４２を有さない未使用樹脂成形材料だけで構成された場合と同様の外観を呈している。
【００１７】
このように構成することにより本実施の形態３は次のような効果を奏する。
（１）透明あるいは半透明の合成樹脂製の樹脂構成部材を除いて他の樹脂構成部材は合成樹脂製を使用済み樹脂構成部材をコア層４２として使用している。また、すべての合成樹脂製の樹脂構成部材がコア層４２として使用可能である。そのため資源の無駄を節約でき産業廃棄物の減少化を実現することができる。
（２）コア層４２としていろいろな部位の使用済み樹脂構成部材を使用するためどうしても未使用樹脂成形材料に比べて顔料できれいな外観となりにくいところ、スキン層４１によってコア層４２が包囲されてしまうのでそのような外観の不具合が問題になることはない。
（３）コア層４２は使用済み樹脂構成部材から構成されているため強度が若干劣ると考えられるが、スキン層４１によって挟み込まれているため十分な強度を担保することができ、すべて未使用樹脂成形材料で構成した樹脂構成部材と比較しても遜色のないものが得られる。
（４）遊技機メーカーの監視の下でパチンコ機を回収でき、使用済み樹脂構成部材を管理しながらリサイクルが可能となり、無駄や無理のない使用済み樹脂構成部材のリサイクルが可能となる。
（５）ある一群の材質の樹脂構成部材が他の一群の樹脂構成部材と一緒に再利用することが好ましくなければ上記のようにステッカーＳの種類を変更することで、識別可能とすることができる。
【００１８】
（実施の形態４）
図６に示すように、上記構成において扉枠１５を３層構造に成形し、コア層４２を単色顔料（例えば赤色）のポリカーボネートで構成し、スキン層４１をベースを透明なポリカーボネートとして部分的に墨流し風の模様４７を混入させて構成している。木口方向から扉枠１５を目視するとコア層４２を透明なスキン層４１が挟んでいる様子が分かる。図７に示すように、本実施の形態４では扉枠１５の前方は断面山状に膨出しており、前面側のスキン層４１ａは一種の凸レンズのように模様４７や入射される光を拡大させたり変形させたりする。
【００１９】
このように構成することにより本実施の形態３は次のような効果を奏する。
（１）従来扉枠１５自体に特にデザインを施していなかったところ、着色された背景の前面に透明なスキン層４１を配置し、そのスキン層４１内に模様４７が浮かぶような興趣を誘うようなデザインとすることで遊技者の注目を得ることができ、集客力が向上する。
（２）前面側のスキン層４１ａは異形に形成されているため、これを通して見る模様や景色が従来ない雰囲気を与え、遊技に更なる興趣を与える。
このような構造をなす樹脂構成部材はサンドイッチ射出成形装置によって成形される。図８に基づいて一例としてのサンドイッチ射出成形装置５１及び金型５２についてその概略を説明する。
サンドイッチ射出装置５１（以下射出装置５１）はメインシリンダ５３を備え、同メインシリンダ５３の内部はスキン層４１とコア層４２を形成するために２重構造になっている。また図示しないヒータを備えている。メインシリンダ５３の先端には特殊ノズル５４が取着されており、２重構造となった溶融樹脂通路の開閉量が調整可能とされている。開閉量は後端のシリンダ５５による図示しないピストンの前後方向への稼動によって調整される。メインシリンダ５３の両側には第１及び第２のサブシリンダ５７，５８が配設されている。両サブシリンダ５７，５８は図示しないヒータと混練用のスクリューを備えている。両サブシリンダ５７，５８は通路５９を介してメインシリンダ５３の溶融樹脂通路に接続されている。特殊ノズル５４先端は金型５２に連通されている。
第１のサブシリンダ５７側にはスキン層４１を形成するための未使用樹脂成形材料を主体とした原料としてのペレットがホッパ６０から投入される。また、第２のサブシリンダ５８側にはコア層４２を形成するための使用済み樹脂成形材料を主体とした原料としてのペレットがホッパ６０から投入される。投入された原料は混練されながらメインシリンダ５３内に搬送される。第１のサブシリンダ５７から搬送された溶融樹脂はメインシリンダ５３内において２重構造の外側に導かれ、第２のサブシリンダ５８から搬送された溶融樹脂はメインシリンダ５３内において２重構造の中心側に導かれる。そして金型５２内に射出されて成型されてそれぞれスキン層４１とコア層４２を構成する。金型５２内のキャビティ５２ａ内に射出された溶融樹脂は固化するまで保持され、固化後、離型されて図９に示すように成型品６１として取り出される。
【００２０】
尚、この発明は、次のように変更して具体化することも可能である。
・上記各実施の形態における樹脂構成部材は一例で挙げたにすぎず、上記説明した以外の樹脂構成部材に本発明を応用することは自由である。
・上記実施の形態１では上部カバープレート３５の本体３５ａはコア層４２を一種の導線として隣接する上受け皿３６の表面に帯電した静電気を除電するように構成されていた。しかし、図１０に示すようにスキン層４１を非導電層としコア層４２を導電層とした３層構造の樹脂構成部材においてパチンコ球が転動する表面４１ａ上に金属板６３を配設し、この金属板６３、スキン層４１及びコア層４２をボルト６４にて挿通しナット６５を螺着させて基盤６６に固定するとともに、これらボルト６４及びナット６５から離間した位置に基盤６６に対してナット６７とともに螺着されたアース用ボルト６８からアース線６９を介して除電するように構成してもよい。このように構成すれば金属板６３を転動して発生した静電気をボルト６４、コア層４２、アース用ボルト６８及びアース線６９を介して除電させることができる。
・上記各実施の形態を組み合わせて実施することも自由である。例えば、実施の形態１や実施の形態２のコア層４２に実施の形態４の使用済み樹脂材料からなるコア層４２を応用してもよい。実施の形態３のスキン層４１を実施の形態１や実施の形態２のスキン層４１を応用しても構わない。実施の形態４のスキン層４１に銀ゼオライトを配合してなる抗菌性樹脂成形材料としてもよい。実施の形態４のコア層４２に実施の形態４の使用済み樹脂材料からなるコア層４２を応用してもよい。
・本発明はパチンコ機以外にもアレパチ、アレンジボール等の遊技機にも応用可能である等その他、本発明の趣旨を逸脱しない態様で実施することは自由である。
【００２１】
上記実施の形態から把握できる本発明のその他の技術的思想について下記に付記として説明する。
（１）前記スキン層を未使用樹脂成形材料を主体に構成するようにしたことを特徴とする請求項１に記載の遊技機。
（２）前記スキン層には抗菌性樹脂材料を含む樹脂材料から構成し、コア層を同スキン層とは異なる樹脂材料から構成したことを特徴とする請求項１に記載の遊技機。
（３）前記スキン層を導電性材料を含む樹脂材料から構成し、コア層を導電性材料を含まない樹脂材料から構成したことを特徴とする請求項１に記載の遊技機。
（４）前記コア層を導電性材料を含む樹脂材料から構成し、スキン層を導電性材料を含まない樹脂材料から構成したことを特徴とする請求項１に記載の遊技機。
（５）前記スキン層を未使用樹脂成形材料を主体に構成するとともに、コア層を使用済み樹脂構成部材を原料とする再生樹脂成形材料を主体に構成した樹脂成形材料で構成したことを特徴とする請求項１に記載の遊技機。
（６）前記スキン層を光透過性樹脂材料から構成し、コア層を着色樹脂材料から構成したことを特徴とする請求項１に記載の遊技機。
【符号の説明】
【００２２】
４…樹脂構成部材としてのパチンコ機本体、５…樹脂構成部材としての遊技盤、１５…樹脂構成部材としての扉枠、２５…樹脂構成部材としての装飾パネル、３５…樹脂構成部材としての上部カバープレート、３６…樹脂構成部材としての上受け皿、３７…樹脂構成部材としての下部カバープレート、３８…樹脂構成部材としての下受け皿、４１…スキン層、４２…コア層。
【図１】
2010194374.tif 000003
【図２】
2010194374.tif 000004
【図３】
2010194374.tif 000005
【図４】
2010194374.tif 000006
【図５】
2010194374.tif 000007
【図６】
2010194374.tif 000008
【図７】
2010194374.tif 000009
【図８】
2010194374.tif 000010
【図９】
2010194374.tif 000011
【図１０】
2010194374.tif 000012